(57)【特許請求の範囲】
【請求項１】
凹面形状をした反射面を有するリフレクタと上記リフレクタの中心軸部に保持された発光管とからなるリフレクタ付きランプと、上記リフレクタ付きランプを収納するランプボックスと、上記リフレクタ付きランプ内の上記発光管を冷却するための冷却風を発生する冷却ファンと、上記リフレクタ付きランプの前面側の端部周辺に設けられ、上記冷却ファンによって発生した冷却風が上記リフレクタの中心軸部の周りを旋回するように、冷却風を上記リフレクタ付きランプの内部に導入する冷却風導入機構と、上記冷却風導入機構によって上記リフレクタ付きランプの内部に導入された冷却風を上記リフレクタ付きランプの後部を経由して上記ランプボックスの外部に排出させる冷却風排出機構とを備え、
上記冷却風導入機構は、リフレクタ付きランプの前面側の端部周辺に形成され、上記リフレクタ付きランプの内部に導入される冷却風の向きを所定の方向に設定する導風路と、上記導風路に対応させて上記ランプボックスの前面側の端部周辺に形成されたランプボックス吸気口と、上記ランプボックス吸気口に対応させて上記リフレクタ付きランプの前面側の端部周辺に形成されたランプ吸気口とで構成されていることを特徴とする光源装置。
【請求項２】
上記ランプ吸気口の周縁部に、上記リフレクタ付きランプの内部に導入される冷却風の向きを所定の方向に変える冷却風ガイド部材を設けたことを特徴とする請求項１に記載の光源装置。
【請求項３】
上記冷却風導入機構は、上記リフレクタ付きランプの中心軸周りに略９０度の角度を有して２つ設けられていることを特徴とする請求項１または２に記載の光源装置。
【請求項４】
上記冷却風導入機構は、上記リフレクタ付きランプの中心軸周りに略１８０度の角度を有して２つ設けられていることを特徴とする請求項１または２に記載の光源装置。
【請求項５】
上記冷却風導入機構は、上記リフレクタ付きランプの中心軸周りに互いに略９０度あるいは略１８０度の角度を有して３つ設けられていることを特徴とする請求項１または２に記載の光源装置。
【請求項６】
上記冷却風導入機構は、上記リフレクタ付きランプの中心軸周りに互いに略９０度の角度を有して４つ設けられていることを特徴とする請求項１または２に記載の光源装置。
【請求項７】
凹面形状をした反射面を有するリフレクタと上記リフレクタの中心軸部に保持された発光管とからなるリフレクタ付きランプと、上記リフレクタ付きランプを収納するランプボックスと、上記リフレクタ付きランプ内の上記発光管を冷却するための冷却風を発生させる冷却ファンとを備えた光源装置の冷却方法であって、
上記冷却ファンによって発生する冷却風を上記リフレクタ付きランプの前面側の端部周辺において上記リフレクタの中心軸周りに旋回させながら上記リフレクタ付きランプの内部に導入させると共に、導入された冷却風を上記リフレクタ付きランプの後部を経由して上記ランプボックスの外部に排出させることを特徴とする光源装置の冷却方法。
【請求項８】
上記リフレクタ付きランプの前面側の端部周辺において複数の箇所より冷却風を上記リフレクタ付きランプの内部に導入させることを特徴とする請求項７記載の光源装置の冷却方法。
【発明の詳細な説明】
【０００１】
【発明の属する技術分野】
本発明は、スクリーンに画像を投射する投射表示装置用の光源装置に関し、特に、光源装置の冷却機構および冷却方法に関するものである。
【０００２】
【従来の技術】
図１４は、例えば、特開平１１−１１１０４６号公報に開示された従来の投射表示装置用光源装置の冷却機構の構成を示す概略断面図である。
図１４において、１は発光管（例えば、ショートアークメタルハイドランプ）、２ａは発光管１の陽極、２ｂは発光管１の陰極、３は発光管１の電極封止部、４は発光管１の口金、７は反射面が球面、放物面または楕円面よりなる凹面形状のリフレクタ（反射鏡）、８は排気管封止部、９は発光管１およびリフレクタ７とで構成されたショートアークメタルハイドランプ用光学装置（以下、リフレクタ付きランプと称す）、１０はリフレクタ付きランプ９を収納するランプボックス、１１は前面ガラス、１２は冷却ファンである。
また、９ａはリフレクタ付きランプ９を構成するリフレクタ７に形成されたランプ吸気口、９ｂはリフレクタ７に形成されたランプ排気口、１０ａはランプボックス１０に形成されたランプボックス吸気口、１０ｂはランプボックス１０に形成されたランプボックス排気口である。
【０００３】
この従来の装置においては、リフレクタ付きランプ９の内部に配置された発光管１を冷却するために、冷却ファン１２を用いて冷却用の空気をリフレクタ７の内部（即ち、リフレクタ付きランプ９の内部）に流していた。
この際、図１４の矢印Ｆに示すように、冷却ファン１２の吸引力によって、冷却用の空気は、ランプボックス吸気口１０ａおよびランプ吸気口９ａを経由してレフレクタ付きランプ９の内部に吸引されて発光管１の発熱部に直接当たって発光管１を冷却し、ランプ排気口９ｂおよびランプボックス排気口１０ｂを経由してランプボックス１０の外部に排出されていた。
【０００４】
【発明が解決しようとする課題】
従来の投射表示装置用の光源装置は、図１４に示したような構造であるので、吸引された冷却用の空気が直接当たる部分はよく冷却されるが、冷却用の空気が直接当たらない部分は冷却効果が低くなるため、発光管１の温度分布を均等にすることが困難であつた。
この発光管１の温度分布の不均一、特に、発光管１のバルブ内部の温度が必要温度に達しないことによって、発光管１の破裂、発光量の減少、あるいは光量が周期的に増減するフリッカ現象の発生を引き起こしていた。
【０００５】
また、リフレクタ付きランプ９ごとに発熱部の位置（即ち、発光管の発熱部の位置）が異なる場合、其々のリフレクタ付きランプにあわせて冷却用空気の吹き込み角度を調節しなくてはならなかった。
また、一般にリフレクタ付きランプの内部は設置条件に応じて激しく温度変化することから、光源装置を設置する角度が変わった場合や、光源装置を裏返して設置した場合、冷却条件が変化して、想定した冷却ができなくなるという問題があった。
【０００６】
本発明は、このような従来技術の課題を解決するためになされたものであり、発光管に直接冷却要の空気を吹き付けることなくリフレクタ付きランプの内部を均等に冷やすことによって、発光管の破裂やランプ光量の低下、フリッカなどを防ぐことができると共に、リフレクタ付きランプごとの形状の違いや発光管の設置状態の違いなど関わりなく、冷却することができる投射表示装置用の光源装置およびその冷却方法を提供することを目的とする。
【０００７】
【課題を解決するための手段】
この発明に係る光源装置は、凹面形状をした反射面を有するリフレクタとリフレクタの中心軸部に保持された発光管とからなるリフレクタ付きランプと、リフレクタ付きランプを収納するランプボックスと、リフレクタ付きランプ内の発光管を冷却するための冷却風を発生させる冷却ファンと、リフレクタ付きランプの前面側の端部周辺に設けられ、冷却ファンによって発生した冷却風がリフレクタの中心軸部の周りを旋回するように、冷却風をリフレクタ付きランプの内部に導入する冷却風導入機構と、冷却風導入機構によってリフレクタ付きランプの内部に導入された冷却風をリフレクタ付きランプの後部を経由してランプボックスの外部に排出させる冷却風排出機構とを備え、
冷却風導入機構は、リフレクタ付きランプの前面側の端部周辺に形成され、リフレクタ付きランプの内部に導入される冷却風の向きを所定の方向に設定する導風路と、導風路に対応させてランプボックスの前面側の端部周辺に形成されたランプボックス吸気口と、ランプボックス吸気口に対応させてリフレクタ付きランプの前面側の端部周辺に形成されたランプ吸気口とで構成されているものである。
【０００９】
また、この発明に係る光源装置の冷却風導入機構は、ランプ吸気口の周縁部に、リフレクタ付きランプの内部に吹き込まれる冷却風の向きを所定の方向に変える冷却風ガイド部材を設けたものである。
【００１０】
また、この発明に係る光源装置の冷却風導入機構は、リフレクタ付きランプの中心軸周りに略９０度の角度を有して２つ設けられているものである。
【００１１】
また、この発明に係る光源装置の冷却風導入機構は、リフレクタ付きランプの中心軸周りに略１８０度の角度を有して２つ設けられているものである。
【００１２】
また、この発明に係る光源装置の冷却風導入機構は、リフレクタ付きランプの中心軸周りに互いに略９０度あるいは略１８０度の角度を有して３つ設けられているものである。
【００１３】
また、この発明に係る光源装置の冷却風導入機構は、リフレクタ付きランプの中心軸周りに互いに略９０度の角度を有して４つ設けられているものである。
【００１４】
また、この発明に係る光源装置の冷却方法は、凹面形状をした反射面を有するリフレクタとリフレクタの中心軸部に保持された発光管とからなるリフレクタ付きランプと、リフレクタ付きランプを収納するランプボックスと、リフレクタ付きランプ内の発光管を冷却するための冷却風を発生させる冷却ファンとを備えた光源装置の冷却方法であって、冷却ファンによって発生する冷却風をリフレクタ付きランプの前面側の端部周辺においてリフレクタの中心軸周りに旋回させながらリフレクタ付きランプの内部に導入させると共に、導入された冷却風をリフレクタ付きランプの後部を経由して上記ランプボックスの外部に排出させるものである。
【００１５】
また、この発明に係る光源装置の冷却方法は、リフレクタ付きランプの前面側の端部周辺において複数の箇所より冷却風をリフレクタ付きランプの内部に導入させるものである。
【００１６】
【発明の実施の形態】
本発明の一実施の形態を図面に基づいて説明する。なお、各図間において、同一符号は同一あるいは相当のものを表す。
実施の形態１．
図１は、本発明の実施の形態１による投射表示装置用の光源装置の構成を概略的に示す図であり、図１（ａ）は、図１（ｂ）のII―II線において正面側（前面側）から見た場合を、図１（ｂ）は、図１（ａ）のＩ―Ｉ線において側面側から見た場合を概略的に示している。
図１において、１は発光管（例えば、ショートアークメタルハイドランプ）、３は発光管１の電極封止部、４は発光管１の口金である。
【００１７】
また、２１は反射面が球面、放物面または楕円面よりなる凹面形状のリフレクタ（反射鏡）、３１は発光管１およびリフレクタ２１で構成されるリフレクタ付きランプ、３１ａはリフレクタ付きランプ３１の前面側の端部周辺に形成されたランプ吸気口、３１ｂはリフレクタ付きランプ３１の後部側端部に形成されたランプ排気口、３１ｃは口金４を介して発光管１を保持する底部（碍子）である。図１に示すように、略円柱形状をした発光管１は、その長軸方向の中心軸を凹面形状をしたリフレクタ２１の中心軸とほぼ一致させた状態で底部３１ｃによってリフレクタ付きランプ３１の中心軸部で保持されている。
【００１８】
また、４１はリフレクタ２１の前方の開口部を塞ぐ前面ガラス（防爆ガラス）、５１はリフレクタ付きランプ３１を収納するランプボックス、５１ａはランプボックス５１の前面側の端部周辺（例えば、ランプボックス５１の上面の前面側端部）に形成されたランプボックス吸気口、５１ｂはランプボックス５１の後面に形成されたランプボックス排気口、６１は図示しない冷却ファンから送風されてくる冷却用の空気をランプボックス吸気口５１ａおよびランプ吸気口３１ａを経由してリフレクタ付きランプ３１の内部に導入させるための導風路、６１ａは導風路６１を形成するためのカバーである。
【００１９】
図１に示したように、実施の形態１による光源装置のランプボックス５１は、その前面側の端部周辺（例えば、ランプボックス５１の上面の前面側の端部）に所定大きさの開口部であるランプボックス吸気口５１ａが形成されている。
また、リフレクタ２１の前面側端部の上面（即ち、リフレクタ２１の前面側の端部周辺）にも、ランプボックス吸気口５１ａに対応させてランプ吸気口３１ａが形成されている。
そして、図示しない冷却ファンから送風されてくる冷却用空気は、導風路６１によりランプボックス吸気口５１ａまで誘導され、さらに、ランプボックス吸気口５１ａおよびランプ吸気口３１ａを経由してリフレクタ付きランプ３１の内部に導入される。
【００２０】
なお、導風路６１を形成するカバー６１ａのランプボックス５１側の端部は、リアレクタ付きランプ３１の内部に導入される冷却用空気が直接発光管１の発熱部に吹き付けられないように、略円柱状の発光管１の長軸方向の中心軸をはずした所定の方向に（即ち、所定の吹き込み角度で）冷却用の空気を送り込める構造となっている。
即ち、導風路６１からランプボックス吸気口５１ａおよびランプ吸気口３１ａを経由してリフレクタ付きランプ３１の内部に吹き込まれる冷却用の空気は、発光管１の長軸方向の中心軸（従って、リフレクタ２１の中心軸）をはずした方向に吹き込まれる構造となっている。
【００２１】
ここで、導風路６１、ランプボックス吸気口５１ａおよびランプ吸気口３１ａは、冷却用空気をリフレクタ付きランプ３１の内部に導入するための冷却風導入機構を構成している。
また、ランプ排気口３１ａおよびランプボックス排気口５１ｂは冷却風排出機構を構成している。
【００２２】
図２は、図１に示した本実施の形態による光源装置における冷却用の空気の流れを説明するための図である。
なお、図２（ａ）は、図１（ｂ）のII―II線に相当する位置において正面から見た場合を、図２（ｂ）は、図１（ａ）のＩ―Ｉ線に相当する位置において側面から見た場合を概略的に示している。
本実施の形態による光源装置は、図１に示したような構造としたことにより、図２の太い黒線の矢印Ａに示すように、導風路６１によって所定の方向に流れ込んだ冷却用の空気は発光管１の長軸方向の中心軸周り（即ち、リフレクタ２１の中心軸周り）に螺旋状に旋回しながらリフレクタ付きランプ３１の後方に進んで行き、リフレクタ付きランプ３１の後部（即ち、底部３１ｃの側）に形成されたランプ排気口３１ｂからランプボックス５１の後方部に排出され、さらに、ランプボックス５１の後方部に形成された開口部であるランプボックス排気口５１ｂからランプボックス５１の外部に排出される。
【００２３】
このように、本実施の形態においては、冷却風導入機構（導風路６１、ランプボックス吸気口５１ａ、リフレクタ付きランプ３１ａ）によって冷却風をリフレクタ付きランプ３１の中心軸部に配置された略円柱状をした発光管１の長軸の中心軸周りに旋回するようにしてリフレクタ付きランプ３１の内部に導入し、導入された冷却風を発光管１の長軸の中心軸周りに螺旋状に旋回しながらリフレクタ付きランプ３１の前方から後方に流すことにより、発光管１の発熱部に直接冷気が吹き付けられることなく、かつ、リフレクタ付きランプ３１の内部を均等に冷却することが可能となる。
その結果、発光管１の破裂やランプ光量の低下、フリッカを防ぐことができると共に、リフレクタ付きランプごとの形状の違いや発光管の設置状態の違いなど関わりなく、冷却することができる。
【００２４】
なお、図３は、本実施の形態による光源装置の効果を説明するための図である。
図において、（Ａ）は従来例の光源装置のように冷却空気の吹き込み角度を発光管１の長軸方向に対して直角にした場合、（Ｂ）は本実施の形態による光源装置の場合を示している。
いずれも、同じ冷却ファンを用い、かつ、冷却ファンの駆動電圧も同じにした状態において、発光管１のバルブの上部および下部の２箇所における温度の差を比較したものである。
図３より明らかなように、従来例の光源装置の場合、発光管１のバルブの上部と下部の温度差が３００度近くもあったが、本実施の形態による光源装置では、温度差が１５０度程度に低減されており、本実施の形態による光源装置の方が温度差は小さく、均等な冷却がなされていることがわかる。
【００２５】
なお、上述の説明では、図示しない冷却ファンを導風路６１の前部に配設して冷却ファンを回転駆動させて発生する冷却用の空気をリフレクタ付きランプ３１の内部に送り込む場合について述べているが、冷却ファンをランプボックス排気口５１ｂの後方部に配設して、冷却ファンを回転させることによってリフレクタ付きランプ３１内部の空気を吸引してランプボックス５１の外部に排出し、その結果、導風路６０から周囲の空気を吸引し、吸引された冷却用の空気をリフレクタ付きランプ３１の内部に導入させる構成であっても、同様の効果を奏する。
【００２６】
実施の形態２．
図４は、実施の形態２による光源装置の構成を概略的に示す図であり、前述の図１（ｂ）のII―II線に相当する位置において正面側から見た場合を示している。
図４において、１は発光管、２２は反射面が球面、放物面または楕円面よりなる凹面形状のリフレクタ（反射鏡）、３２は発光管１およびリフレクタ２２で構成されるリフレクタ付きランプ、３２ａはリフレクタ付きランプ３２の前面側の端部周辺に形成されたランプ吸気口である。
また、５２はリフレクタ付きランプ３２を収納するランプボックス、５２ａはランプボックス５２の前面側の端部周辺（例えば、ランプボックス５２の上面の前面側端部）に形成されたランプボックス吸気口、６２は図示しない冷却ファンから送風されてくる冷却用の空気をランプボックス吸気口５２ａおよびランプ吸気口３２ａを経由してリフレクタ付きランプ３２の内部に導入させるための導風路、６２ａは導風路６２を形成するためのカバーである。
また、７０はリレクタ２１に形成されたランプ吸気口３２ａの周縁部に設けられたリフレクタキャップである。
【００２７】
図４に示したように、実施の形態２による光源装置は、図１に示した実施の形態１による光源装置において、更に、リフレクタ２２に形成したランプ吸気口３２ａの周縁部にリフレクタキャップ７０を設けている。
そして、リフレクタキャップ７０は、リフレクタ付きランプ３２の内部に吹き込まれる空気の流れの向きを変えることで、発光管１の長軸方向の中心軸をはずした向きに冷却用の空気を送り込めるように、所定の吹き込み角度がついた構造となっていることを特徴とする。
即ち、リフレクタキャップ７０は、リフレクタ付きランプ３２の内部に吹き込まれる冷却風の流れの向きを所定の方向に案内（ガイド）する冷却風ガイド部材である。
【００２８】
前述の実施の形態１による光源装置では、図２に示すように、導風路６１によって作り出された旋回流がリフレクタ付きランプ３１を構成するリフレクタ２１のランプ吸気口３１ａを通る際に、ランプ吸気口３１ａの内壁面にぶつかることにより、吹き込まれる冷却用空気の旋回効果が弱められていたが、本実施の形態による光源装置ではこれを防ぐことができる。
図５は、実施の形態２による投射表示装置用の光源装置において冷却用の空気の流れを概略的に描いた説明図である。
なお、図示はしていないが、実施の形態１による光源装置の場合と同様に、略円柱形状をした発光管１は、その長軸方向の中心軸を凹面形状をしたリフレクタ２２の中心軸とほぼ一致させた状態でリフレクタ付きランプ３２の中心軸部で保持されている。
【００２９】
図５において、太い黒線の矢印Ａは、冷却用の空気の流れを示しており、導風路６２によって所定の方向でフレクタ付きランプ３２の内部に吹き込まれた冷却用の空気は、ランプ吸気口３２ａの内壁面（周縁部）に設けられ、所定の角度を有したリフレクタキャップ（冷却風ガイド部材）７０の壁面に沿って旋回を弱められることなく、発光管１の長軸方向の中心軸をはずした向きに吹き込まれていることを表している。
なお、本実施の形態においても、導風路６２、ランプボックス吸気口５２ａ、ランプ吸気口３２ａおよびリフレクタキャップ（冷却風ガイド部材）７０により、冷却用空気をリフレクタ付きランプ３２の内部に導入するための冷却風導入機構を構成している。
【００３０】
リフレクタ付きランプ３２の内部に吹き込まれた空気は、実施の形態１による光源装置の場合と同様に、発光管１の長軸方向の中心軸周りに螺旋状に旋回しながらリフレクタ付きランプ３２の後部に進んで行き、リフレクタ付きランプ３２の後方に形成された図示しないランプ排気口３２ｂ（図１の３１ｂに相当）からランプボックス５２の後方部に排出され、さらに、ランプボックス５２の後方部に形成された図示しないランプボックス排気口５２ｂ（図１の５１ｂに相当）からランプボックス５２の外部に排出される。
なお、上述の説明では、ランプ吸気口３２ａの周縁部に所定の吹き込み角度が付いたリフレクタキャップ（冷却風ガイド部材）７０を設けた構成としているが、これに限るものではなく、ランプ吸気口３１ａ自体に所定の角度の傾斜面を形成させた構造であってもよいことは言うまでもない。
【００３１】
実施の形態３．
図６は、実施の形態３による光源装置の構成を概略的に示す図であり、前述の図１（ｂ）のII―II線に相当する位置において正面から見た場合を示している。
前述の実施の形態２による光源装置は、ランプボックスの一面（例えば、上面）側に第１の冷却風導入機構を設けた構成であったが、本実施の形態による光源装置は、前述の実施の形態２による光源装置において、さらに、ランプボックスの上面と隣り合う側面側（例えば、正面から見て右側の側面）にも第２の冷却風導入機構を設け、隣り合う２つの面側に設けた２つの冷却風導入機構によって、冷却用の空気をリフレクタ付きランプの内部に導入することを特徴とする。
即ち、リフレクタ付きランプの中心軸周りに略９０度の角度を有して２つの冷却風導入機構を設けたことを特徴とする。
【００３２】
図６において、１は発光管、２３は反射面が球面、放物面または楕円面よりなる凹面形状のリフレクタ（反射鏡）、３３は発光管１およびリフレクタ２３で構成されるリフレクタ付きランプ、３２ａおよび３３ａはランプ吸気口である。
また、５３はリフレクタ付きランプ３３を収納するランプボックス、５２ａおよぴ５３ａはランプボックス吸気口、６２および６３は図示しない冷却ファンから送風されてくる冷却用の空気をランプボックス吸気口５２ａおよび５３ａにそれぞれ所定の方向で導入させるための導風路、６２ａおよび６３ａは導風路６２および６３を形成するためのカバーである。
また、７０はリレクタ２３に形成されたランプ吸気口３２ａおよび３３ａの周縁部にそれぞれ設けられたリフレクタキャップ（冷却風ガイド部材）である。
【００３３】
なお、導風路６２、ランプボックス吸気口５２ａ、ランプ吸気口３２ａおよびリフレクタキャップ（冷却風ガイド部材）７０により、冷却用空気をリフレクタ付きランプ３３の内部に所定の方向で導入させるための第１の冷却風導入機構を構成し、導風路６３、ランプボックス吸気口５３ａ、ランプ吸気口３３ａおよびリフレクタキャップ（冷却風ガイド部材）７０により、冷却用空気をリフレクタ付きランプ３３の内部に所定の方向で導入させるための第２の冷却風導入機構を構成している。
第１の冷却風導入機構によってリフレクタ付きランプ３３の内部に吹き込まれる空気と同様に、第２の冷却風導入機構によってリフレクタ付きランプ３３の内部に吹き込まれる空気は、ランプ吸気口３３ａの周縁部に設けられ、所定の角度を有したリフレクタキャップ（冷却風ガイド部材）７０の壁面に沿って、旋回を弱められることなく、発光管１の長軸方向の中心軸（即ち、リフレクタ２３の中心軸）をはずした所定の方向に吹き込まれる。
【００３４】
なお、図示はしていないが、実施の形態１あるいは２による光源装置の場合と同様に、略円柱形状をした発光管１は、その長軸方向の中心軸を凹面形状をしたリフレクタ２３の中心軸とほぼ一致させた状態でリフレクタ付きランプ３３の中心軸部で保持されている。
【００３５】
図７は、本実施の形態による光源装置における冷却空気の流れを概略的示した図である。
導風路６２、ランプボックス吸気口５２ａ、ランプ吸気口３２ａおよびリフレクタキャップ（冷却風ガイド部材）７０により構成された第１の冷却風導入機構と、導風路６３、ランプボックス吸気口５３ａ、ランプ吸気口３３ａおよびリフレクタキャップ（冷却風ガイド部材）７０により構成された第２の冷却風導入機構とによって、リフレクタ付きランプ３３の内部に吹き込まれた空気は、太い黒線の矢印ＡおよびＢに示すように、発光管１の長軸方向の中心軸周りに螺旋状に旋回しながらリフレクタ付きランプ３３の後方に進んで行き、リフレクタ付きランプ３３の後部に形成された図示しないランプ排気口３３ｂ（図１の３１ｂに相当）からランプボックス５３の後方部に排出され、さらに、ランプボックス５３の後方部に形成された図示しないランプボックス排気口５３ｂ（図１の５１ｂに相当）よりランプボックス５３の外部に排出される。
【００３６】
なお、上述の説明では、ランプ吸気口３２ａおよび３３ａの周縁部に所定の吹き込み角度が付いたリフレクタキャップ（冷却風ガイド部材）７０を設けた構成としているが、これに限るものではなく、ランプ吸気口３２ａおよび３３ａ自体に所定の角度の傾斜面を形成させた構造であってもよいことは言うまでもない。
【００３７】
前述の実施の形態１あるいは２による光源装置では、リフレクタ付きランプボックスの１つの面側に冷却風導入機構を設けて、リフレクタ付きランプ内部で旋回流を起こすために冷却空気を斜めに吹き込んでいる。
冷却空気を吹き込み口（ランプ吸気口）に対して斜めに吹き込むため、吹き込み口が限られた大きさをもつ場合、有効な吹き込み口面積は吹き込み角度が通常の角度（即ち、吹き込み口に対して９０度）であった場合と比較すると、その面積はさらに限定されることになり、吹き込まれる冷却空気の量が制限されることとなる。
これに対して、本実施の形態による光源装置では、ランプボックスの隣り合う２つの面側に、それぞれ第１および第２の冷却風導入機構を設けた構成としているので、実施の形態１あるいは２の場合と比べて容易に有効な吹き込み口面積を増やし、冷却効果をさらに増強することができる。
【００３８】
実施の形態４．
図８は、実施の形態４による光源装置の構成を概略的に示す図であり、前述の図１（ｂ）のII―II線に相当する位置において正面から見た場合を示している。前述の実施の形態３による光源装置は、ランプボックスの上面側に第１の冷却風導入機構を、上面と隣り合う側面側に第２の冷却風導入機構を設け、隣り合う２つの面側に設けた２つの冷却風導入機構によって冷却用の空気をリフレクタ付きランプの内部に導入する構成であった。
これに対して、本実施の形態による光源装置は、ランプボックスの互いに対向する２つの面（例えば、上面および下面）の前面側の端部周辺において、それぞれ第１および第３の２つの冷却風導入機構を設けて、冷却用の空気をリフレクタ付きランプの内部に導入することを特徴とする。
即ち、リフレクタ付きランプの中心軸周りに略１８０度の角度を有して２つの冷却風導入機構を設けたことを特徴とする。
【００３９】
図８において、１は発光管、２４は反射面が球面、放物面または楕円面よりなる凹面形状のリフレクタ（反射鏡）、３４は発光管１およびリフレクタ２４で構成されるリフレクタ付きランプ、３２ａおよび３４ａはランプ吸気口である。
また、５４はリフレクタ付きランプ３４を収納するランプボックス、５２ａおよぴ５４ａはランプボックス吸気口、６２および６４は図示しない冷却ファンから送風されてくる冷却用の空気をランプボックス吸気口５２ａおよび５４ａにそれぞれ導入（誘導）させるための導風路、６２ａおよび６４ａは導風路６２および６４を形成するためのカバーである。
【００４０】
なお、導風路６２、ランプボックス吸気口５２ａ、ランプ吸気口３２ａおよびリフレクタキャップ（冷却風ガイド部材）７０により、冷却用空気をリフレクタ付きランプ３３の内部に導入するための第１の冷却風導入機構を構成し、導風路６４、ランプボックス吸気口５４ａ、ランプ吸気口３４ａおよびリフレクタキャップ（冷却風ガイド部材）７０により、冷却用空気をリフレクタ付きランプ３４の内部に導入するための第３の冷却風導入機構を構成している。
ランプボックス５４の上面側に設けられた第１の冷却風導入機構と同様に、ランプボックス５４の上面側と対向する下面側に設けられた第３の冷却風導入機構によってリフレクタ付きランプ３４の内部に吹き込まれる空気は、ランプ吸気口３４ａの周縁部に設けられ、所定の角度を有したリフレクタキャップ（冷却風ガイド部材）７０の壁面に沿って、旋回を弱められることなく、発光管１の長軸方向の中心軸をはずした所定の方向に吹き込まれる。
【００４１】
なお、図示はしていないが、実施の形態１〜３による光源装置の場合と同様に、略円柱形状をした発光管１は、その長軸方向の中心軸を凹面形状をしたリフレクタ２４の中心軸とほぼ一致させた状態でリフレクタ付きランプ３４の中心軸部で保持されている。
【００４２】
図９は、本実施の形態による光源装置における冷却空気の流れを概略的示した図である。
導風路６２、ランプボックス吸気口５２ａ、ランプ吸気口３２ａおよびリフレクタキャップ（冷却風ガイド部材）７０により構成された第１の冷却風導入機構と、導風路６４、ランプボックス吸気口５４ａ、ランプ吸気口３４ａおよびリフレクタキャップ（冷却風ガイド部材）７０により構成された第３の冷却風導入機構とによって、リフレクタ付きランプ３４の内部に吹き込まれた空気は、太い黒線の矢印ＡおよびＣに示すように、発光管１の長軸方向の中心軸周りに螺旋状に旋回しながらリフレクタ付きランプ３４の後方に進んで行き、リフレクタ付きランプ３４の後方に形成された図示しないランプ排気口３４ｂ（図１の３１ｂに相当）からランプボックス５４の後方部に排出され、さらに、ランプボックス５４の後方部に形成された図示しないランプボックス排気口５４ｂ（図１の５１ｂに相当）からランプボックス５４の外部に排出される。
【００４３】
なお、上述の説明では、ランプ吸気口３２ａおよび３４ａの周縁部に所定の吹き込み角度が付いたリフレクタキャップ（冷却風ガイド部材）７０を設けた構成としているが、これに限るものではなく、ランプ吸気口３２ａおよび３４ａ自体に所定の角度の傾斜面を形成させた構造であってもよいことは言うまでもない。
【００４４】
前述の実施の形態３による光源装置では、ランプボックスの隣り合う２つの面の前面側端部周辺に、それぞれ第１および第２の冷却風導入機構を設けた構成とし、実施の形態１あるいは２の場合と比べて容易に有効な吹き込み口面積を増やし、冷却効果をさらに増強したものであった。
これに対して、本実施の形態による光源装置は、導風路６２、ランプボックス吸気口５２ａ、ランプ吸気口３２ａおよびリフレクタキャップ（冷却風ガイド部材）７０により構成された第１の冷却風導入機構をランプボックス５４の上面の前面側の端部周辺に設け、さらに、導風路６４、ランプボックス吸気口５４ａ、ランプ吸気口３４ａおよびリフレクタキャップ（冷却風ガイド部材）７０により構成された第３の冷却風導入機構をランプボックス５４の上面に対向する下面の前面側の端部周辺に設けている。
言い換えれば、リフレクタ付きランプ２４の前面側の端部周辺において、その中心軸周りに略１８０度の角度を有して配置された第１および第２の２つの冷却風導入機構を設けている。
【００４５】
本発明は、リフレクタ付きランプ内の発光管の長軸周りに回転対称な冷却風を作り出す物であり、そのための構造も発光管の軸周りに回転対称であったほうが優れた冷却効果をもつ。
従って、本実施の形態による光源装置のように、第１の冷却風導入機構と第３の冷却風導入機構の２つの冷却風導入機構を発光管の長軸方向中心軸を対称中心として対向させて配置することによって、実施の形態３の場合よりもさらに発光管１の中心軸周りに回転対称な冷却風を効率よく発生させることが可能となり、優れた冷却効果を奏することができる。
【００４６】
実施の形態５．
図１０は、実施の形態５による光源装置の構成を概略的に示す図であり、前述の図１（ｂ）のII―II線に相当する位置において正面から見た場合を示している。
前述の実施の形態３による光源装置は、ランプボックスの上面側に第１の冷却風導入機構を、側面側に第２の冷却風導入機構を設け、隣り合う２つの面側に設けた２つの冷却風導入機構によって冷却用の空気をリフレクタ付きランプの内部に導入する構成であった。
また、上述の実施の形態４による光源装置は、ランプボックスの互いに対向する２つの面側に、それぞれ第１および第３の２つの冷却風導入機構を設けて、冷却用の空気をリフレクタ付きランプの内部に導入する構成であった。
【００４７】
これに対して、本実施の形態による光源装置は、第１の冷却風導入機構をランプボックスの上面側に、第２の冷却風導入機構をランプボックスの側面側に、第４の冷却風導入機構をランプボックスの他の側面側に設けたことを特徴とする。
即ち、ランプボックス５５の上下左右４面のうちの３つの面にそれぞれ冷却風導入機構を設けたことを特徴とする。
即ち、リフレクタ付きランプの中心軸周りに互いに略９０度あるいは略１８０度の角度を有して３つの冷却風導入機構を設けたことを特徴とする。
【００４８】
図１０において、１は発光管、２５は反射面が球面、放物面または楕円面よりなる凹面形状のリフレクタ（反射鏡）、３５は発光管１およびリフレクタ２５で構成されるリフレクタ付きランプ、３２ａ、３３ａおよび３５ａはランプ吸気口である。
また、５５はリフレクタ付きランプ３５を収納するランプボックス、５２ａ、５３ａおよび５５ａはランプボックス吸気口、６２、６３および６５は図示しない冷却ファンから送風されてくる冷却用の空気をランプボックス吸気口５２ａ、５３ａおよび５５ａにそれぞれ導入させるための導風路、６２ａ、６３ａおよび６５ａは導風路６２、６３および６５を形成するためのカバーである。
【００４９】
なお、導風路６２、ランプボックス吸気口５２ａ、ランプ吸気口３２ａおよびリフレクタキャップ（冷却風ガイド部材）７０により、冷却用空気をリフレクタ付きランプ３５の内部に導入するための第１の冷却風導入機構を構成し、導風路６３、ランプボックス吸気口５３ａ、ランプ吸気口３３ａおよびリフレクタキャップ（冷却風ガイド部材）７０により、冷却用空気をリフレクタ付きランプ３５の内部に導入するための第２の冷却風導入機構を構成し、導風路６５、ランプボックス吸気口５５ａ、ランプ吸気口３５ａおよびリフレクタキャップ（冷却風ガイド部材）７０により、冷却用空気をリフレクタ付きランプ３５の内部に導入するための第４の冷却風導入機構を構成している。
【００５０】
ランプボックス５４の上面の前面側の端部周辺に設けられた第１の冷却風導入機構あるいは側面の前面側の端部周辺に設けられたと第２の冷却風導入機構同様に、ランプボックス５４の他の側面の前面側の端部周辺に設けられた第４の冷却風導入機構によってリフレクタ付きランプ３５の内部に吹き込まれる空気は、ランプ吸気口３５ａの周縁部に設けられ、所定の角度を有したリフレクタキャップ（冷却風ガイド部材）７０の壁面に沿って、旋回を弱められることなく、発光管１の長軸方向の中心軸をはずした所定の方向に吹き込まれる。
なお、図示はしていないが、実施の形態１〜４よる光源装置の場合と同様に、略円柱形状をした発光管１は、その長軸方向の中心軸を凹面形状をしたリフレクタ２５の中心軸とほぼ一致させた状態でリフレクタ付きランプ３５の中心軸部で保持されている。
【００５１】
図１１は、本実施の形態による光源装置における冷却空気の流れを概略的示した図である。
導風路６２、ランプボックス吸気口５２ａ、ランプ吸気口３２ａおよびリフレクタキャップ（冷却風ガイド部材）７０により構成された第１の冷却風導入機構と、導風路６３、ランプボックス吸気口５３ａ、ランプ吸気口３３ａおよびリフレクタキャップ（冷却風ガイド部材）７０により構成された第２の冷却風導入機構と、導風路６５ランプボックス吸気口５５ａ、ランプ吸気口３５ａおよびリフレクタキャップ（冷却風ガイド部材）７０により構成された第４の冷却風導入機構の３つの冷却風導入機構によってリフレクタ付きランプ３４の内部に吹き込まれた空気は、矢印Ａ、ＢおよびＤに示すように、発光管１の長軸方向の中心軸周りに螺旋状に旋回しながらリフレクタ付きランプ３５の後方に進んで行く。
【００５２】
そして、リフレクタ付きランプ３５の後方に形成された図示しないランプ排気口３５ｂ（図１の３１ｂに相当）からランプボックス５５の後方部に排出され、さらに、ランプボックス５５の後方部に形成された図示しないランプボックス排気口５５ｂ（図１の５１ｂに相当）からランプボックス５５の外部に排出される。
なお、上述の説明では、ランプ吸気口３２ａ、３３ａおよび３５ａの周縁部に所定の吹き込み角度が付いたリフレクタキャップ（冷却風ガイド部材）７０を設けた構成としているが、これに限るものではなく、ランプ吸気口３２ａ、３３ａおよび３５ａ自体に所定の角度の傾斜面を形成させた構造であってもよいことは言うまでもない。
【００５３】
以上説明したように、本実施の形態による光源装置では、ランプボックス５５の上面側および両側面側に設けた３つの冷却風導入機構（即ち、リフレクタ付きランプの中心軸周りに互いに略９０度あるいは略１８０度の角度を有して設けた３つの冷却風導入機構）によって冷却用空気をリフレクタ付きランプ３５の内部に吹き込むので、実施の形態３あるいは４による光源装置の場合よりもさらに冷却風の吹き込み口面積を増やし、かつ、滑らかで回転対象な旋回風を発生させることが可能となり、冷却効果をさらに増強することができる。
【００５４】
実施の形態６．
図１２は、実施の形態６による光源装置の構成を概略的に示す図であり、前述の図１（ｂ）のII―II線に相当する位置において正面から見た場合を示している。
前述の実施の形態５による光源装置は、第１の冷却風導入機構をランプボックスの上面側に、第２の冷却風導入機構をランプボックスの側面側に、第４の冷却風導入機構をランプボックスの他の側面側に設けたものであったが、本実施の形態による光源装置は、第１の冷却風導入機構をランプボックスの上面側に、第２の冷却風導入機構をランプボックスの側面側に、第３の冷却風導入機構を第１の冷却風導入機構に対向させてランプボックスの下面側に、第４の冷却風導入機構を第２の冷却風導入機構に対向させてランプボックスの他の側面側に設けたことを特徴とする。
即ち、リフレクタ付きランプの中心軸周りに互いに略９０度の角度を有して４つの冷却風導入機構を設けたことを特徴とする。
【００５５】
図１２において、１は発光管、２６は反射面が球面、放物面または楕円面よりなる凹面形状のリフレクタ（反射鏡）、３６は発光管１およびリフレクタ２６で構成されるリフレクタ付きランプ、３２ａ、３３ａ、３４ａおよび３５ａはランプ吸気口である。
また、５６はリフレクタ付きランプ３６を収納するランプボックス、５２ａ、５３ａ、５４ａおよび５５ａはランプボックス吸気口、６２、６３、６４および６５は図示しない冷却ファンから送風されてくる冷却用の空気をランプボックス吸気口５２ａ、５３ａ、５４ａおよび５５ａにそれぞれ導入（誘導）させるための導風路、６２ａ、６３ａ、６４ａおよび６５ａは導風路６２、６３、６４および６５を形成するためのカバーである。
【００５６】
なお、導風路６２、ランプボックス吸気口５２ａ、ランプ吸気口３２ａおよびリフレクタキャップ（冷却風ガイド部材）７０により、冷却用空気をリフレクタ付きランプ３６の内部に導入するための第１の冷却風導入機構を構成し、導風路６３、ランプボックス吸気口５３ａ、ランプ吸気口３３ａおよびリフレクタキャップ（冷却風ガイド部材）７０により、冷却用空気をリフレクタ付きランプ３６の内部に導入するための第２の冷却風導入機構を構成し、導風路６４、ランプボックス吸気口５４ａ、ランプ吸気口３４ａおよびリフレクタキャップ（冷却風ガイド部材）７０により、冷却用空気をリフレクタ付きランプ３６の内部に導入するための第３の冷却風導入機構を構成し、導風路６５ランプボックス吸気口５５ａ、ランプ吸気口３５ａおよびリフレクタキャップ（冷却風ガイド部材）７０により、冷却用空気をリフレクタ付きランプ３５の内部に導入するための第４の冷却風導入機構を構成している。
【００５７】
ランプボックス５６の上面および下面の前面側の端部周辺において互いに対向して設けられた第１および第３の冷却風導入機構と、両側面の前面側の端部周辺において互いに対向して設けられた第２および第４の冷却風導入機構の４つの冷却風導入機構によって、リフレクタ付きランプ３６の内部に吹き込まれる空気は、４つの冷却風導入機構それぞれのランプ吸気口（３２ａ、３３ａ、３４ａ、３５ａ）の周縁部に設けられ、所定の角度を有したリフレクタキャップ（冷却風ガイド部材）７０の壁面に沿って、旋回を弱められることなく、発光管１の長軸方向の中心軸をはずした所定の方向に吹き込まれる。
なお、図示はしていないが、実施の形態１〜５よる光源装置の場合と同様に、略円柱形状をした発光管１は、その長軸方向の中心軸を凹面形状をしたリフレクタ２６の中心軸とほぼ一致させた状態でリフレクタ付きランプ３６の中心軸部で保持されている。
【００５８】
図１３は、本実施の形態による光源装置における冷却空気の流れを概略的示した図である。
導風路６２、ランプボックス吸気口５２ａ、ランプ吸気口３２ａおよびリフレクタキャップ（冷却風ガイド部材）７０により構成された第１の冷却風導入機構と、導風路６３、ランプボックス吸気口５３ａ、ランプ吸気口３３ａおよびリフレクタキャップ（冷却風ガイド部材）７０により構成された第２の冷却風導入機構と、導風路６４、ランプボックス吸気口５４ａ、ランプ吸気口３４ａおよびリフレクタキャップ（冷却風ガイド部材）７０により構成された第３の冷却風導入機構と、導風路６５ランプボックス吸気口５５ａ、ランプ吸気口３５ａおよびリフレクタキャップ（冷却風ガイド部材）７０により構成された第４の冷却風導入機構の４つの冷却風導入機構によってリフレクタ付きランプ３６の内部に吹き込まれた空気は、太い黒線の矢印Ａ、Ｂ、ＣおよびＤに示すように、前述の実施の形態１〜５による光源装置の場合と同様に、発光管１の長軸方向の中心軸周りに螺旋状に旋回しながらリフレクタ付きランプ３６の後方に進んで行く。
【００５９】
そして、リフレクタ付きランプ３６の後方に形成された図示しないランプ排気口３６ｂ（図１の３１ｂに相当）からランプボックス５６の後部に排出され、さらに、ランプボックス５６の後方部に形成された図示しないランプボックス排気口５６ｂ（図１の５１ｂに相当）からランプボックス５６の外部に排出される。なお、上述の説明では、ランプ吸気口３２ａ、３３ａ、３４ａおよび３５ａの周縁部に所定の吹き込み角度が付いたリフレクタキャップ（冷却風ガイド部材）７０を設けた構成としているが、これに限るものではなく、ランプ吸気口３２ａ、３３ａ、３４ａおよび３５ａ自体に所定の角度の傾斜面を形成させた構造であってもよいことは言うまでもない。
【００６０】
以上説明したように、本実施の形態による光源装置では、ランプボックス５６の上面、下面の前面側の端部周辺においてそれぞれ対向させて設けた冷却風導入機構と、両側面の前面側の端部周辺においてそれぞれ対向させて設けた４つの冷却風導入機構によって、冷却用の空気をリフレクタ付きランプ３６の内部に吹き込むので、実施の形態５による光源装置の場合よりもさらに冷却風の吹き込み口面積を増やし、かつ、発光管の中心軸周りに回転対称な冷却風を作り出し、非常に滑らかな旋回風を発生させることが可能となり、冷却効果をさらに増強することができる。
【００６１】
なお、前述の実施の形態１から６の光源装置では、ランプボックス排気口に吹き込まれる冷却用空気の旋回方向が右回り（時計方向）の場合について説明しているが、これに限るものではなく、左周り（反時計方向）であってもよい。
さらに、冷却ファンは、導風路の前部に配置し、導風路を介して冷却用の空気をリフレクタ付きランプの内部に吹き込む構成に限るものではなく、冷却ファンをランプボックスのランプボックス排気口の後ろに配置し、ランプボックス排気口を介してリフレクタ付きランプ内の空気を吸引してランプボックスの外部に排気することにより、導風路入り口周囲の空気を吸い込み、冷却用空気としてリフレクタ付きランプの内部に送り込む構成であってもよい。
なお、ランプボックス５５は、箱形形状のものを図示して説明しているが、これに限られるものではなく、円筒形状のものであってもよい。
また、発光管、リフレクタ、リフレクタ付きランプ、ランプボックス、導風路、レフキャップ（冷却風ガイド部材）等の形状も、図示のものには限定されるものではない。
【００６２】
【発明の効果】
この発明による光源装置は、凹面形状をした反射面を有するリフレクタとリフレクタの中心軸部に保持された発光管とからなるリフレクタ付きランプと、リフレクタ付きランプを収納するランプボックスと、リフレクタ付きランプ内の上記発光管を冷却するための冷却風を発生する冷却ファンと、リフレクタ付きランプの前面側の端部周辺に設けられ、冷却ファンによって発生した冷却風がリフレクタの中心軸部の周りを旋回するようにリフレクタ付きランプの内部に導入する冷却風導入機構と、冷却風導入機構によってリフレクタ付きランプの内部に導入された冷却風をリフレクタ付きランプの後部を経由してランプボックスの外部に排出させる冷却風排出機構とを備え、冷却風導入機構は、リフレクタ付きランプの前面側の端部周辺に形成され、リフレクタ付きランプの内部に導入される冷却風の向きを所定の方向に設定する導風路と、導風路に対応させてランプボックスの前面側の端部周辺に形成されたランプボックス吸気口と、ランプボックス吸気口に対応させてリフレクタ付きランプの前面側の端部周辺に形成されたランプ吸気口とで構成されているので、リフレクタ付きランプの内部に導入された冷却風を発光管の長軸の中心軸周りに螺旋状に旋回させながらリフレクタ付きランプの前方から後方に流すことが可能となり、発光管の発熱部に直接冷気が吹き付けられることなく、かつ、リフレクタ付きランプの内部の発光管を均等に冷却することができる光源装置実現できる。
【００６４】
また、この発明に係る光源装置の冷却風導入機構は、ランプ吸気口の周縁部に、リフレクタ付きランプの内部に導入される冷却風の向きを所定の方向に変える冷却風ガイド部材を設けたので、発光管の発熱部に直接冷気が吹き付けられることなく、かつ、リフレクタ付きランプの内部の発光管を均等に冷却することができると共に、冷却風がランプ吸気口によって弱められることなくリフレクタ付きランプの内部に吹き込むことが可能となり、冷却効果の向上が図れる。
【００６５】
また、この発明による光源装置の冷却風導入機構は、リフレクタ付きランプの中心軸周りに略９０度の角度を有して２つ設けられているので、リフレクタ付きランプの内部へ吹き込まれる冷却風の吹き込み面積を増大させることが可能となり、冷却効果の向上がさらに図れる。
【００６６】
また、この発明による光源装置の冷却風導入機構は、リフレクタ付きランプの中心軸周りに略１８０度の角度を有して２つ設けられているので、リフレクタ付きランプの内部へ吹き込まれる冷却風の吹き込み面積を増大させると共に、吹き込まれる冷却風を回転対称な旋回風とすることが可能となるので、さらに冷却効果の向上が図れる。
【００６７】
また、この発明による光源装置の冷却風導入機構は、リフレクタ付きランプの中心軸周りに互いに略９０度あるいは略１８０度の角度を有して３つ設けられているので、リフレクタ付きランプの内部へ吹き込まれる冷却風の吹き込み面積をさらに増大させると共に、吹き込まれる冷却風を回転対称な旋回風とすることが可能となるので、さらに冷却効果の向上が図れる。
【００６８】
また、この発明に係る光源装置の冷却風導入機構は、リフレクタ付きランプの中心軸周りに互いに略９０度の角度を有して４つ設けられているので、リフレクタ付きランプの内部へ吹き込まれる冷却風の吹き込み面積を大幅に増大させると共に、吹き込まれる冷却風を非常に回転対称な旋回風とすることが可能となるので、さらに冷却効果の向上が図れる。
【００６９】
また、この発明による光源装置の冷却方法は、凹面形状をした反射面を有するリフレクタとリフレクタの中心軸部に保持された発光管とからなるリフレクタ付きランプと、リフレクタ付きランプを収納するランプボックスと、リフレクタ付きランプ内の発光管を冷却するための冷却風を発生させる冷却ファンとを備えた光源装置の冷却方法であって、冷却ファンによって発生する冷却風をリフレクタ付きランプの前面側の端部周辺においてリフレクタの中心軸周りに旋回させながらリフレクタ付きランプの内部に導入させると共に、導入された冷却風をリフレクタ付きランプの後部を経由してランプボックスの外部に排出させるので、導入された冷却風を発光管の長軸の中心軸周りに螺旋状に旋回させながらリフレクタ付きランプの前方から後方に流すことが可能となり、発光管の発熱部に直接冷気が吹き付けられることなく、かつ、リフレクタ付きランプの内部の発光管を均等に冷却することができる光源装置の冷却方法を提供できる。
【００７０】
また、この発明に係る光源装置の冷却方法は、リフレクタ付きランプの前面側の端部周辺において複数の箇所より冷却風をリフレクタ付きランプの内部に導入させるので、導入された冷却風を発光管の長軸の中心軸周りに螺旋状に旋回させながらリフレクタ付きランプの前方から後方に流すことが可能となり、発光管の発熱部に直接冷気が吹き付けられることなく、かつ、リフレクタ付きランプの内部の発光管を均等に冷却すると共に、リフレクタ付きランプの内部へ吹き込まれる冷却風の吹き込み面積を増大させることが可能な光源装置の冷却方法を提供できる。
【図面の簡単な説明】
【図１】  実施の形態１における光源装置の概略の構成を示す図である。
【図２】  実施の形態１における光源装置の冷却風の流れを示す図である。
【図３】  本発明によるランプ冷却効果を説明するための図である。
【図４】  実施の形態２における光源装置の概略の構成を示す図である。
【図５】  実施の形態２における光源装置の冷却風の流れを示す図である。
【図６】  実施の形態３における光源装置の概略の構成を示す図である。
【図７】  実施の形態３における光源装置の冷却風の流れを示す図である。
【図８】  実施の形態４における光源装置の概略の構成を示す図である。
【図９】  実施の形態４における光源装置の冷却風の流れを示す図である。
【図１０】  実施の形態５における光源装置の概略の構成を示す図である。
【図１１】  実施の形態５における光源装置の冷却風の流れを示す図である。
【図１２】  実施の形態６における光源装置の概略の構成を示す図である。
【図１３】  実施の形態６における光源装置の冷却風の流れを示す図である。
【図１４】  従来の光源装置の概略の構成を示す図である。
【符号の説明】
１  発光管                  ３  電極封止部          ４  口金
２１、２２、２３、２４、２５、２６  リフレクタ（反射鏡）
３１、３２、３３、３４、３５、３６  リフレクタ付きランプ
３１ａ  ランプ吸気口
３１ｂ  ランプ排気口
３１ｃ  底部（碍子）
４１  前面ガラス（防爆ガラス）
５１、５２、５３、５４、５５、５６  ランプボックス
５１ａ、５２ａ、５３ａ、５４ａ、５５ａ  ランプボックス吸気口
５１ｂ  ランプボックス排気口
６１、６２、６３、６４、６５  導風路
６１ａ、６２ａ、６３ａ、６４ａ、６５ａ  導風路
７０  リフレクタキャップ（冷却風ガイド部材）
【図１】
0004082908.tif 000002
【図２】
0004082908.tif 000003
【図３】
0004082908.tif 000004
【図４】
0004082908.tif 000005
【図５】
0004082908.tif 000006
【図６】
0004082908.tif 000007
【図７】
0004082908.tif 000008
【図８】
0004082908.tif 000009
【図９】
0004082908.tif 000010
【図１０】
0004082908.tif 000011
【図１１】
0004082908.tif 000012
【図１２】
0004082908.tif 000013
【図１３】
0004082908.tif 000014
【図１４】
0004082908.tif 000015